(57)【要約】【課題】所望の場所で両替の業務を行うことが可能な移動両替装置および移動両替システムを提供すること。【解決手段】本願の開示する移動両替システムによれば、管理会社で規定する手数料に基づいて通貨取引のレートである換算レートを計算し、当該換算レートを管理する管理装置１と、両替の営業場所を移動可能な店舗車両として動作し、管理装置１と連携して画像処理を行うことによって換算レートを表示する複数の移動両替装置２（２−１，２−２，２−３，２−４…）と、を備える構成とした。【選択図】図１
2018206256.tif 000002
【特許請求の範囲】
【請求項１】
管理会社で規定する手数料に基づいて計算された通貨取引のレート（換算レート）を管理する管理装置と連携することにより、オペレータによる両替業務を支援する移動両替装置において、
両替の営業場所を移動可能な店舗車両として動作し、
前記管理装置と通信を行う通信部と、
前記通信部を介し前記管理装置と連携して画像処理を行うことにより前記換算レートを表示する表示部と、
を備える、
ことを特徴とする移動両替装置。
【請求項２】
前記換算レートを、地域ごとに設定された前記手数料に基づいて計算された地域単位の換算レートとし、
前記表示部は、両替の営業場所が含まれる地域に対応付けられた換算レートを表示する、
ことを特徴とする請求項１に記載の移動両替装置。
【請求項３】
前記換算レートを、前記管理装置からの移動距離に応じて規定された前記手数料に基づいて計算された換算レートとし、
前記表示部は、前記管理装置からの移動距離に対応付けられた換算レートを表示する、
ことを特徴とする請求項１に記載の移動両替装置。
【請求項４】
管理会社で規定する手数料に基づいて通貨取引のレート（換算レート）を計算する制御部、および当該換算レートを記憶する記憶部、を有する管理装置と、
両替の営業場所を移動可能な店舗車両として動作し、通信により前記管理装置と連携して画像処理を行うことによって前記換算レートを表示する複数の移動両替装置と、
を備える、
ことを特徴とする移動両替システム。
【請求項５】
前記管理装置がすべての移動両替装置の営業場所を特定している場合において、
前記管理装置の制御部は、
地域ごとに設定された前記手数料に基づいて地域単位に換算レートを計算し、それらの計算結果を換算レートＤＢとして前記記憶部に記憶しておき、
すべての移動両替装置に関し、それぞれの営業場所が含まれる地域に対応付けて記憶されている換算レートを前記記憶部から読み出し、
各移動両替装置と個別に連携して、それぞれの営業場所に対応する換算レートを閲覧することが可能なページを生成する、
ことを特徴とする請求項４に記載の移動両替システム。
【請求項６】
前記管理装置がすべての移動両替装置の営業場所を特定している場合において、
前記管理装置の制御部は、
前記管理装置からの移動距離に応じて規定された前記手数料に基づいて換算レートを計算し、それらの計算結果を換算レートＤＢとして前記記憶部に記憶しておき、
すべての移動両替装置に関し、それぞれの移動距離に対応付けて記憶されている換算レートを前記記憶部から読み出し、
各移動両替装置と個別に連携して、それぞれの移動距離に対応する換算レートを閲覧することが可能なページを生成する、
ことを特徴とする請求項４に記載の移動両替システム。
【請求項７】
さらに、
前記移動両替装置は、両替の依頼者を認識して、通貨取引の状況を動画撮影用の監視カメラで撮影し、その映像データを前記管理装置に送信し、
前記管理装置の制御部は、通貨取引の映像データを画像処理してディスプレイに表示させるとともに、その映像データを前記記憶部に記憶する、
ことを特徴とする請求項４、５または６に記載の移動両替システム。
【請求項８】
さらに、
前記移動両替装置は、前記両替で使用されかつブラックライトが照射された紙幣の映像データを前記管理装置に送信し、
前記管理装置の制御部は、前記紙幣の映像データを画像処理してディスプレイに表示させるとともに、当該紙幣の映像データを前記通貨取引の映像データと関連付けて前記記憶部に記憶する、
ことを特徴とする請求項７に記載の移動両替システム。
【請求項９】
前記管理装置のディスプレイに表示された前記紙幣を鑑定した結果、偽札が使用されたものと判断された場合、前記制御部は、前記記憶部から前記紙幣の映像データに関連付けられた通貨取引の映像データを読み出し、当該映像データを、偽札が使用されたことを知らせるためのメールに添付して、すべての移動両替装置に送信し、
各移動両替装置は、オペレータからの表示操作があった場合に、前記メールの内容および当該メールに添付された映像データを表示する、
ことを特徴とする請求項８に記載の移動両替システム。
【請求項１０】
前記管理装置の制御部がすべての移動両替装置の営業場所の位置情報を前記記憶部に記憶することとし、
情報通信端末を所有するユーザが位置検索アプリを起動し、ユーザ操作により店舗の検索が指示された場合、前記制御部は、前記記憶部に記憶された位置情報に基づいて所望の店舗を検索し、当該情報通信端末と連携して、検索結果を当該情報通信端末のディスプレイに表示させるための画像処理を行う、
ことを特徴とする請求項４〜９のいずれか１つに記載の移動両替システム。
【発明の詳細な説明】
【技術分野】
【０００１】
本発明は、営業場所を移動して両替業務を行うことが可能な移動両替装置および移動両替システムに関する。
【背景技術】
【０００２】
下記非特許文献１には、パソコンやスマートフォン等を用い、金額および紙幣の内訳を自由に設定して外貨両替が行えること、が記載されている。具体的には、申込者が、パソコンやスマートフォン等の表示画面上でレートをチェックし、両替を希望する通貨を選択し、希望金額および紙幣内訳を入力する。そして、申込者本人の個人情報、届け先情報および希望配送日時（たとえば、申込日の２日後から１０日間で指定可能）等の各種情報を入力したうえで、申し込みを完了する。これにより、パソコン等から申込完了メールが外貨両替を取り扱う管理会社宛てに送られ、管理会社側の手配によって、申込者宛てに、指定された配送日時に配送業者から希望通貨が届けられる。申込者は、配送業者に取引金額を現金（たとえば日本円）で支払い、希望通貨を受け取る。
【先行技術文献】
【非特許文献】
【０００３】
【非特許文献１】ＧＰＡ外貨両替専門店  ONLINE  STORE  外貨宅配サービス  ホームページ  https://gpa-exchange-onlinestore.jp/
【発明の概要】
【発明が解決しようとする課題】
【０００４】
近年、日本国内では海外からの旅行者が増加し、外国人が観光やショッピング等で日本の通貨を使用する機会が増加している。この際、旅行者が予め用意しておいた現金（日本の通貨）が途中で不足することが想定される。このような場合、クレジットカードを使用できるお店ばかりであればよいが、観光地等ではクレジットカードを使うことができないお店が数多く見受けられる。また、自国の通貨の持ち合わせがあれば、旅行者は外貨両替のできる店舗を探し、両替により日本の通貨を得ることが可能であるが、観光スポット等の周辺で両替が可能な店舗を見つけることは困難である。
【０００５】
本発明は、上記に鑑みてなされたものであって、所望の場所で両替業務を行うことが可能な移動両替装置および移動両替システムを提供することを目的とする。
【課題を解決するための手段】
【０００６】
上述した課題を解決し、目的を達成するために、本願の開示する移動両替装置は、管理会社で規定する手数料に基づいて計算された通貨取引のレート（換算レート）を管理する管理装置と連携することにより、オペレータによる両替業務を支援する移動両替装置であって、両替の営業場所を移動可能な店舗車両として動作し、前記管理装置と通信を行う通信部と、前記通信部を介し前記管理装置と連携して画像処理を行うことにより前記換算レートを表示する表示部と、を備えることを特徴とする。
【０００７】
また、本願の開示する移動両替システムは、管理会社で規定する手数料に基づいて通貨取引のレート（換算レート）を計算する制御部、および当該換算レートを記憶する記憶部、を有する管理装置と、両替の営業場所を移動可能な店舗車両として動作し、通信により前記管理装置と連携して画像処理を行うことによって前記換算レートを表示する複数の移動両替装置と、を備えることを特徴とする。
【発明の効果】
【０００８】
本願の開示する移動両替装置および移動両替システムの一つの態様によれば、所望の場所で両替業務を行うことができる、という効果を奏する。
【図面の簡単な説明】
【０００９】
【図１】図１は、移動両替システムの構成の一例を示す図である。
【図２】図２は、管理装置として動作するコンピュータのハードウェア構成例を示す図である。
【図３】図３は、移動両替装置の構成例を示す図である。
【図４】図４は、換算レートＤＢの一例を示す図である。
【図５】図５は、ディスプレイに表示された換算レートの一例を示す図である。
【図６】図６は、換算レートＤＢの一例を示す図である。
【図７】図７は、映像情報ＤＢの一例を示す図である。
【図８】図８は、映像情報ＤＢの一例を示す図である。
【図９】図９は、位置検索サービスを提供する場合のシステム構成の一例を示す図である。
【図１０】図１０は、位置検索結果の一例を示す図である。
【発明を実施するための形態】
【００１０】
以下に、本願の開示する移動両替装置および移動両替システムの実施例を図面に基づいて詳細に説明する。なお、この実施例によりこの発明が限定されるものではない。
【実施例】
【００１１】
＜構成＞
図１は、移動両替システムの構成の一例を示す図である。本実施例の移動両替システムは、管理会社（本部）に設置され通貨取引のレート（管理会社で規定された手数料を含む。以下、換算レートとよぶ。）を管理する管理装置１と、管理装置１との通信により換算レートを表示可能な店舗車両である複数の移動両替装置２（図示の移動両替装置２−１，２−２，２−３，２−４，…に相当）が、インターネット等のネットワークを介して接続された構成をとり、たとえば、オペレータが移動両替装置２のディスプレイに表示された換算レートに基づき両替業務を行うものである。本実施例では、一例として、４台の店舗車両である移動両替装置２−１〜２−４が、観光地Ａ，Ｂ，Ｃ，Ｄにそれぞれ配置され、この状態で両替業務を行っている場合を想定する。なお、本実施例では、一例として、観光地で両替業務を行う場合について記載したが、これに限らず、店舗車両を停車することができかつ営業可能な場所であればどのような場所で両替業務を行うこととしてもよい。
【００１２】
図２は、本実施例の管理装置１として動作するコンピュータのハードウェア構成例を示す図である。図２において、管理装置１は、ＣＰＵ（Central  Processing  Unit）およびＦＰＧＡ（Field  Programmable  Gate  Array）等で構成される制御部１１と、ＲＯＭ（Read  Only  Memory），ＲＡＭ（Random  Access  Memory）等の各種メモリを含む記憶部１２と、キーボードおよびマウス等のユーザインタフェースを含む入力部１３と、印刷等の出力処理を行う出力部１４と、ディスプレイである表示部１５と、所定のネットワークを介して外部と通信を行う通信部１６とを備える。なお、図２では、キーボードおよびマウス等のユーザインタフェースを含む入力部１３を備えることとしたが、本実施例の管理装置１は、これに限らず、表示部１５にタッチパネルの機能を持たせることによって、入力部１３を設けない構成、または入力部１３と併用する構成としてもよい。
【００１３】
図２において、制御部１１は、本実施例の移動両替システムにおける各種機能を実現するために、所定のプログラムを実行する。記憶部１２は、ＲＯＭ，ＲＡＭ等の内部メモリを含み、本実施例の各種機能に対応した処理および各種入力情報や、処理の過程で得られたデータ等を記憶する。制御部１１では、記憶部１２に記憶されているプログラムを読み出すことにより本実施例の各種機能に対応する処理を実行する。なお、記憶部１２は、内部メモリに限るものではなく、たとえば、ＤＶＤ（Digital  Versatile  Disc）やＳＤメモリ等の外部記憶媒体であってもよいし、また、内部メモリおよび外部記憶媒体（ＤＶＤやＳＤメモリ等）の両方で構成されることとしてもよい。また、本実施例の管理装置１のハードウェア構成は、説明の便宜上、本実施例の処理にかかわる構成を列挙したものであり、管理装置１を構成するコンピュータのすべての機能を表現したものではない。
【００１４】
図３は、移動両替装置２の構成例を示す図である。図３において、本実施例の移動両替装置２は、管理装置１との間で通信を行う通信部２１と、通信により得られる換算レートを表示するためのディスプレイである表示部２２と、両替の依頼者を認識して通貨取引を撮影するカメラ等を含む撮影部２３と、を備える。通信部２１は、インターネット等の通信回線を利用し、管理装置１との間で、換算レートに関する情報や、撮影部２３により撮影された映像データ等の送受信を行う。さらに、通信部２１は、ＧＰＳ車載器を含み、ＧＰＳを利用して得られる店舗車両の位置情報を管理装置１に送信する。また、表示部２２は、通信部２１を介して本部から送られてくる換算レートを適宜更新し、常に最新の情報を表示するものであり、たとえば、パソコンやスマートフォン等の情報通信端末のディスプレイで構成されていてもよいし、車両に備え付けられた内臓ディスプレイで構成されていてもよい。また、表示部２２は、たとえば、通信部２１を介して本部から通知された換算レートを記載（書き写し）可能なボード状のもの、すなわち、ホワイトボードや掲示板等を含むこととしてもよい。
【００１５】
＜移動両替システムによる基本動作＞
つづいて、上記のように構成される移動両替システムの実施例を具体的に説明する。なお、本実施例の移動両替装置２（２−１，２−２，２−３，２−４…）は、それぞれＧＰＳを利用して得られた自装置の位置情報を、適宜、管理装置１に通知し、管理装置１は、受信したすべての位置情報を記憶部１２に記憶すること、を前提とする。
【００１６】
移動両替装置２として動作する店舗車両は、観光地，公共施設，駅前等、両替を希望するユーザ（たとえば、外国人観光客，外国人居住者等）が集まる場所に自由に移動可能であり、所定の場所に停車して両替専門の出張店舗として開店することにより両替業務をサポートするものである。この店舗では、オペレータが、移動両替装置２の表示部２２に表示された換算レートに従い両替業務を行う。たとえば、観光地Ａ内に店舗車両（図１の移動両替装置２−１）を停車して両替業務を行う場合において、米ドル通貨を所有する外国人観光客から日本円への両替を依頼された場合、オペレータは、表示部２２に表示された換算レートに基づいて、日本円の希望金額（紙幣等の内訳を含む）を米ドルに換算し、その金額を依頼者に提示して通貨取引を行う。
【００１７】
また、本実施例においては、移動両替装置２が両替業務を行っている営業場所（営業場所を含む地域）ごとに異なる換算レートを適用する。たとえば、複数の移動両替装置２（２−１，２−２，２−３，２−４）がそれぞれ所定の観光地（たとえば、観光地Ａ，Ｂ，Ｃ，Ｄ）に出張して両替業務を行う場合、本部の管理者は、管理装置１を操作して、観光地毎に異なる手数料を設定し、この手数料を換算レートに反映し、観光地毎の換算レートを記憶部１２に記憶しておく。具体的には、管理装置１の制御部１１が、管理者の入力操作（マウスおよびキーボード等の入力部１３の操作）により設定された手数料に基づいて換算レートを計算し、その計算結果を、適宜、記憶部１２に登録する。図４は、記憶部１２に記憶された換算レートＤＢの一例を示す図である。図４では、たとえば、観光客等が多い観光地または観光客に人気のある観光地ほど高い手数料を設定した場合の、観光地ごとの換算レートが示されている。
【００１８】
この場合、管理装置１の制御部１１は、それぞれの観光地に停車した移動両替装置２（２−１，２−２，２−３，２−４）から得られる位置情報に基づいて営業場所を特定する。そして、たとえば、観光地Ａで両替業務を行っている移動両替装置２−１（図１参照）については観光地Ａに対応付けて記憶されている換算レート等の情報（図４の観光地名，通貨名，換算レート，指定可能紙幣等の情報）を記憶部１２から読み出し、通信部１６を介した通信により移動両替装置２−１と連携して、観光地Ａに対応する換算レートを閲覧することが可能なページを生成するための画像処理、および生成したページを移動両替装置２−１の表示部２２に表示させるための表示制御、を実行する。また、管理装置１の制御部１１は、他の観光地（Ｂ，Ｃ，Ｄ）で両替業務を行っている移動両替装置２（２−２，２−３，２−４）についても上記と同様に、それぞれ対応する換算レート等の情報を記憶部１２から読み出し、各移動両替装置２と連携して、それぞれの観光地に対応付けられた換算レートを、対応する移動両替装置２の表示部２２に表示させる。
【００１９】
一方、移動両替装置２（２−１，２−２，２−３，２−４）の表示部２２は、通信部２１を介した通信により管理装置１と連携して、営業中の観光地に対応付けられた換算レートを閲覧することが可能なページを生成するための画像処理、および生成したページを表示させるための表示制御、を実行する。図５は、表示部２２に表示された換算レートの一例を示す図である。
【００２０】
なお、上記では、一例として観光地ごとに換算レートが異なる場合について説明したが、これに限らず、手数料については適宜設定可能であり、たとえば、本部からの移動距離に応じて手数料を加算することとしてもよい。図６は、記憶部１２に記憶された換算レートＤＢの一例を示す図であり、具体的には、本部からの移動距離が長いほど高い手数料を設定した場合の換算レートの一例が示されている。この場合、管理装置１の制御部１１は、それぞれの移動両替装置２（２−１，２−２，２−３，２−４）から得られる位置情報に基づいて本部からの移動距離を計算し、たとえば、本部からの移動距離ｘが１０ｋｍ以内の移動両替装置２については「ｘ＜１０ｋｍ」に対応付けて記憶されている換算レート等の情報（図６の移動距離，通貨名，換算レート，指定可能紙幣等の情報）を記憶部１２から読み出す。そして、上記と同様の処理で、管理装置１と各移動両替装置２が相互に連携し、本部からの移動距離に対応付けられた換算レートが、各移動両替装置２の表示部２２に表示される。
【００２１】
また、上記では、一例として、法定通貨同士（円とドル，円とユーロ等）の両替を前提として説明を行ってきたが、これに限らず、本実施例においては、仮想通貨（ビットコイン，イーサリアム，リップル等）から法定通貨（円，ドル等）への両替も対応可能である。たとえば、換算レートして「１ビットコイン→２７００００円」等が表示部２２に表示されている場合、オペレータは、表示部２２に表示された換算レートに基づいて、受け取ったビットコインの量に応じた金額（日本円）を計算し、その金額を両替の依頼者に提示して通貨取引を行う。この際、両替の依頼者は、個人用ウォレット内のビットコインのうち、両替を希望する量のビットコインを、管理会社が管理する専用ウォレットに送り、オペレータは、受け取ったビットコインの量に応じた両替を行うことになる。
【００２２】
＜監視機能＞
また、本実施例の移動両替装置２は、店頭に設置された監視カメラ（動画撮影用）を含む撮影部２３を有することとし、たとえば、撮影部２３が、内臓センサー（たとえば、人感センサー）により両替の依頼者（外国人観光客等）を認識して、依頼毎に通貨取引の状況を監視カメラで撮影し、その映像データ（撮影時刻等の情報を含む）を、通信部２１を介して管理装置１に送信する。一方、管理装置１側では、制御部１１が、通信部１６経由で受信した通貨取引の映像データを画像処理して表示部１５に表示させる。これにより、管理者による通貨取引の監視が可能となる。また、制御部１１は、受信した映像データを送信元の移動両替装置２および撮影時刻等と関連付けて、映像情報ＤＢとして一定期間にわたり記憶部１２に登録する。図７は、記憶部１２に登録された映像情報ＤＢの一例を示す図である。その後、制御部１１は、登録後一定期間が経過した時点で、または一定期間経過後に管理者により削除操作が行われた場合に、登録された映像情報を記憶部１２から削除する。
【００２３】
＜偽札鑑定支援機能＞
さらに、移動両替装置２の撮影部２３には、上記監視カメラの他に、たとえば、静止画像を撮影可能なカメラ（静止画撮影用カメラ）を備えることも可能である。この静止画撮影用カメラは、オペレータの手元付近でかつ依頼者から見えない位置に設置されることが望ましい。本実施例においては、上述した通貨取引の最中、または通貨取引の後に、移動両替装置２を用いて業務を行うオペレータが、両替の依頼者から受け取った紙幣にブラックライトを照射し、ブラックライトが照射された紙幣を、静止画撮影用カメラを操作して撮影することを可能とする。
【００２４】
この場合、本実施例の移動両替装置２は、撮影部２３が、上記のように通貨取引の状況（動画）を撮影するとともに、さらに、両替の依頼者から受け取った紙幣（ブラックライトが照射された紙幣）の静止画を撮影し、それらの映像データ（動画および静止画）を関連付けて、通信部２１を介して管理装置１に送信する。一方、管理装置１側では、制御部１１が、通信部１６経由で受信した通貨取引の映像データ（動画）を画像処理して表示部１５に表示させるとともに、ブラックライトが照射された紙幣の映像データ（静止画）についても画像処理して表示部１５に表示させる。これにより、管理者による通貨取引の監視が可能となると同時に、管理者側による偽札の鑑定も可能となる。すなわち、通貨取引に使用された紙幣が偽札かどうかを、取引現場に行くことなく、管理装置１のディスプレイに表示された静止画に基づいて判断することが可能となる。また、鑑定の結果、使用された紙幣が偽札であると判断した場合には、紙幣の映像データ（静止画）に関連付けられた通貨取引の映像データ（動画）に基づいて、その偽札を使用した依頼者を特定することも可能である。
【００２５】
また、制御部１１は、受信した映像データ（動画および静止画）を送信元の移動両替装置２および動画の撮影時刻等と関連付けて、映像情報ＤＢとして一定期間にわたり記憶部１２に登録する。図８は、記憶部１２に登録された映像情報ＤＢの一例を示す図である。ここでは、映像データに関する情報に加え、鑑定結果（偽札または真札）が記憶されている。その後、制御部１１は、登録後一定期間が経過した時点で、または一定期間経過後に管理者により削除操作が行われた場合に、登録された映像情報を記憶部１２から削除する。
【００２６】
＜情報共有機能＞
また、上記偽札鑑定支援機能により管理装置１側で偽札が使用されたものと判断された場合、すなわち、図８に示す映像情報ＤＢの鑑定結果欄に「偽札」情報が登録された場合、管理装置１の制御部１１は、鑑定結果欄に登録された「偽札」情報に関連付けられた映像データ（偽札が取引されたときの動画等）を記憶部１２から読み出し、この映像データを、偽札が使用されたことを示す偽札情報メールに添付して、通信部１６を介してすべての移動両替装置２（２−１，２−２，２−３，２−４…）に送信する。また、地元の警察署との間で所定の通信手段（インターネット，専用回線等）が構築されている場合には、制御部１１の制御により、偽札が取引された旨を、そのときの映像情報（動画，静止画，位置情報、撮影時刻等を含む）とともに、警察に通知することも可能である。一方、管理装置１から偽札情報メールを受信した移動両替装置２では、オペレータの操作によって表示部２２において画像処理が行われることにより、偽札情報メールの内容を表示可能であり、さらに、偽札が使用されたときの映像を再生させることも可能である。これにより、すべての移動両替装置２のオペレータが偽札使用の事実を共有することができる。
【００２７】
＜位置検索機能＞
また、上述したように、本実施例の移動両替装置２（２−１，２−２，２−３，２−４…）は、それぞれＧＰＳを利用して得られた自装置の位置情報を管理装置１に通知している。本実施例では、位置情報を受信した管理装置１が、すべての移動両替装置２の位置情報を記憶部１２に登録し、たとえば、専用の位置検索アプリがインストールされたスマートフォン、タブレット端末、およびパソコン等の情報通信端末３を使用するユーザに、移動両替装置２の位置検索サービスを提供する。図９は、位置検索サービスを提供する場合のシステム構成を示す図である。
【００２８】
たとえば、情報通信端末３を所有するユーザが位置検索アプリを起動し、このアプリのトップページが表示された状態において、ユーザ操作により「店舗検索」を指示するためのアイコンがタップされた場合、情報通信端末３は、通信機能を利用してその旨を管理装置１に通知する。そして、この通知を受けた管理装置１の制御部１１は、通信部１６を介した情報通信端末３との通信により情報通信端末３と連携して、地図上に店舗（たとえば、両替が可能な周辺の店舗）の位置が示された新たなページを生成する画像処理、および生成したページを情報通信端末３のディスプレイに表示させるための表示制御、を実行する。図１０は、位置検索結果の一例を示す図であり、図示の丸数字１〜４が移動両替装置２の位置を示している。これにより、本実施例では、たとえば、外国人観光客が、専用の位置検索アプリを利用して、移動両替装置２の位置を検索することが可能となる。
【００２９】
また、図示の移動両替装置２の位置（丸数字１〜４）をタップする操作により、たとえば、情報通信端末３と管理装置１の制御部１１が通信により連携し、タップされた位置に対応する換算レート（図４または図６参照）を制御部１１が記憶部１２から読み出し、この換算レートを情報通信端末３のディスプレイに表示可能な構成（表示画面は、たとえば、図５参照）とすることとしてもよい。これにより、本実施例では、周辺の移動両替装置２の位置を知ることができるとともに、さらに、周辺の移動両替装置２における換算レートを確認することができるため、たとえば、近さを優先する場合（両替を急ぐ場合）や、換算率を優先する場合（特に両替を急いでいない場合）等、ユーザの現在の状況に応じて選択肢をひろげることができる。
【００３０】
なお、上記では、一例として、両替が可能な周辺の店舗を地図上に配置および表示する場合を示したが、提供可能な位置検索サービスはこれに限るものではなく、たとえば、手数料の安い店舗の検索、住所を指定した周辺店舗検索、等も可能である。
【００３１】
このように、本実施例の移動両替システムは、管理会社で規定する手数料に基づいて通貨取引のレートである換算レートを計算し、当該換算レートを管理する管理装置１と、両替の営業場所を移動可能な店舗車両として動作し、管理装置１と連携して画像処理を行うことによってディスプレイに換算レートを表示する複数の移動両替装置２（２−１，２−２，２−３，２−４…）と、を備える構成とした。これにより、周辺に両替可能な店舗がない観光地等、所望の場所で両替業務を行うことが可能となる。
【符号の説明】
【００３２】
１  管理装置
２，２−１，２−２，２−３，２−４  移動両替装置
３  情報通信端末
１１  制御部
１２  記憶部
１３  入力部
１４  出力部
１５  表示部
１６  通信部
２１  通信部
２２  表示部
２３  撮影部
【図１】
2018206256.tif 000003
【図２】
2018206256.tif 000004
【図３】
2018206256.tif 000005
【図４】
2018206256.tif 000006
【図５】
2018206256.tif 000007
【図６】
2018206256.tif 000008
【図７】
2018206256.tif 000009
【図８】
2018206256.tif 000010
【図９】
2018206256.tif 000011
【図１０】
2018206256.tif 000012